(57)【要約】【課題】支持面で支持される媒体が該支持面から浮いてしまうことを抑制する。【解決手段】媒体Ｍに印刷を行う印刷部４と、媒体Ｍを支持面１２で支持する支持部３と、支持部３に取り付けられ、支持面１２で支持される媒体Ｍの該支持面１２からの浮きを抑制する浮き抑制部１３と、を備え、支持部３には、支持面１２に向けて媒体Ｍを吸引する吸引室１４が複数設けられ、吸引室１４は、支持面１２側に開口した開口部１６と、支持面１２側とは異なる側に設けられるとともに該開口部１６よりも開口面積が小さい吸引孔１５と、を有し、浮き抑制部１３は、少なくとも１つの開口部１６をカバー可能に構成されていることを特徴とする印刷装置１。【選択図】図２
2018103391.tif 000002
【特許請求の範囲】
【請求項１】
媒体に印刷を行う印刷部と、
前記媒体を支持面で支持する支持部と、
前記支持部に取り付けられ、前記支持面で支持される前記媒体の該支持面からの浮きを抑制する浮き抑制部と、を備え、
前記支持部には、前記支持面に向けて前記媒体を吸引する吸引室が複数設けられ、
前記吸引室は、前記支持面側に開口した開口部と、前記支持面側とは異なる側に設けられるとともに該開口部よりも開口面積が小さい吸引孔と、を有し、
前記浮き抑制部は、少なくとも１つの前記開口部をカバー可能に構成されていることを特徴とする印刷装置。
【請求項２】
請求項１に記載の印刷装置において、
前記浮き抑制部は、少なくとも１つの前記開口部をカバー可能なカバー部と、前記支持面と対向する側から前記媒体に対向可能な対向部と、を有することを特徴とする印刷装置。
【請求項３】
請求項２に記載の印刷装置において、
前記浮き抑制部には、前記媒体の側面と対向し、前記支持面と前記カバー部との間を貫くように形成される貫通部が設けられていることを特徴とする印刷装置。
【請求項４】
請求項３に記載の印刷装置において、
前記貫通部は、前記カバー部よりも柔らかい素材で形成されていることを特徴とする印刷装置。
【請求項５】
請求項２から４のいずれか１項に記載の印刷装置において、
前記浮き抑制部は、前記支持部に取り付けられる位置が可変であり、
前記カバー部は、少なくとも２つの前記開口部をカバー可能な大きさに構成されていることを特徴とする印刷装置。
【請求項６】
請求項１から５のいずれか１項に記載の印刷装置において、
前記開口部は、複数の領域に仕切られていることを特徴とする印刷装置。
【請求項７】
請求項１から６のいずれか１項に記載の印刷装置において、
前記開口部は、前記媒体の幅方向における長さが該幅方向と交差する方向の長さよりも短いことを特徴とする印刷装置。
【請求項８】
媒体に印刷を行う印刷部と、前記媒体を支持面で支持し、該支持面側に開口した開口部と該支持面側とは異なる側に設けられるとともに該開口部よりも開口面積が小さい吸引孔とを有する該支持面に向けて該媒体を吸引する吸引室が複数設けられる支持部と、前記支持部に取り付けられ、前記支持面で支持される前記媒体の該支持面からの浮きを抑制する浮き抑制部と、を備える印刷装置における媒体の浮き抑制方法であって、
前記浮き抑制部によって少なくとも１つの前記開口部がカバーされるように、該浮き抑制部を前記支持部に取り付けることを特徴とする媒体の浮き抑制方法。
【発明の詳細な説明】
【技術分野】
【０００１】
本発明は、印刷装置及び媒体の浮き抑制方法に関する。
【背景技術】
【０００２】
従来から、様々な印刷装置が使用されている。このような印刷装置においては、媒体を支持部の支持面で支持させ、支持部で支持された状態の媒体に印刷を行う構成が一般的である。このような構成の印刷装置では、支持部で支持された状態の媒体が浮き上がると印刷部と干渉する場合が有るので、媒体の浮きを抑制する手段を備えるものがある。  
例えば、特許文献１には、媒体としての記録紙を押さえる記録紙押さえ部材（浮き抑制部）を備えるとともに、媒体の支持部としてのプラテンに媒体（場合によってはさらに記録紙押さえ部材）を吸引する吸引口がまばらに設けられる印刷装置（インクジェットプリンタ）が開示されている。
【先行技術文献】
【特許文献】
【０００３】
【特許文献１】特開２００４−２３０８３９号公報
【発明の概要】
【発明が解決しようとする課題】
【０００４】
しかしながら、特許文献１に開示される印刷装置においては、吸引口による吸引力が不十分な場合が有った。これは、媒体の支持面に開口面積の小さい吸引孔がまばらに設けられる構成では、十分な吸引力が得られない場合があることに起因する。このため、特許文献１に開示されるような従来の印刷装置においては、媒体が支持面から浮いてしまう場合があった。
【０００５】
そこで、本発明は、支持面で支持される媒体が該支持面から浮いてしまうことを抑制することを目的にする。
【課題を解決するための手段】
【０００６】
上記課題を解決するための本発明の第１の態様の印刷装置は、媒体に印刷を行う印刷部と、前記媒体を支持面で支持する支持部と、前記支持部に取り付けられ、前記支持面で支持される前記媒体の該支持面からの浮きを抑制する浮き抑制部と、を備え、前記支持部には、前記支持面に向けて前記媒体を吸引する吸引室が複数設けられ、前記吸引室は、前記支持面側に開口した開口部と、前記支持面側とは異なる側に設けられるとともに該開口部よりも開口面積が小さい吸引孔と、を有し、前記浮き抑制部は、少なくとも１つの前記開口部をカバー可能に構成されていることを特徴とする。
【０００７】
本態様によれば、支持面側に開口した開口部を有し該支持面に向けて該媒体を吸引する吸引室が複数設けられる支持部と、支持面で支持される媒体の該支持面からの浮きを抑制する浮き抑制部と、を備えている。吸引力は吸引面積（開口部の開口面積）に比例するため、開口部を吸引孔の開口面積以上とすることで吸引力を大きくすることができる。このため、媒体を支持面に確り吸引させることができる。そのうえ、本態様によれば、浮き抑制部は少なくとも１つの開口部をカバー可能に構成されているので、浮き抑制部も支持面に確り吸引させることができる（浮き抑制部ごと媒体が浮き上がることを抑制できる）。したがって、効果的に、支持面で支持される媒体が該支持面から浮いてしまうことを抑制できる。
【０００８】
本発明の第２の態様の印刷装置は、前記第１の態様において、前記浮き抑制部は、少なくとも１つの前記開口部をカバー可能なカバー部と、前記支持面と対向する側から前記媒体に対向可能な対向部と、を有することを特徴とする。
【０００９】
本態様によれば、浮き抑制部は支持面と対向する側から媒体に対向可能な対向部だけでなく開口部をカバー可能なカバー部を有するので、対向部で媒体の浮きを抑制しつつカバー部を支持面に確り吸引させることができる。このため、効果的に浮き抑制部ごと媒体が浮き上がることを抑制できる。
【００１０】
本発明の第３の態様の印刷装置は、前記第２の態様において、前記浮き抑制部には、前記媒体の側面と対向し、前記支持面と前記カバー部との間を貫くように形成される貫通部が設けられていることを特徴とする。
【００１１】
本態様によれば、媒体の側面と対向し支持面とカバー部との間を貫くように形成される貫通部が浮き抑制部に設けられているので、該貫通部が媒体のカバー部側への移動を規制し、媒体がカバー部側の開口部（カバー部でカバーされている開口部）に入り込むことを抑制できる。
【００１２】
本発明の第４の態様の印刷装置は、前記第３の態様において、前記貫通部は、前記カバー部よりも柔らかい素材で形成されていることを特徴とする。
【００１３】
媒体と貫通部とは接触する可能性がある。しかしながら、本態様によれば、貫通部を相対的に柔らかい素材で形成しているので、媒体と貫通部とが接触した際に媒体が損傷することを抑制できる。
【００１４】
本発明の第５の態様の印刷装置は、前記第２から第４のいずれか１つの態様において、前記浮き抑制部は、前記支持部に取り付けられる位置が可変であり、前記カバー部は、少なくとも２つの前記開口部をカバー可能な大きさに構成されていることを特徴とする。
【００１５】
本態様によれば、浮き抑制部は支持部に取り付けられる位置が可変であり、カバー部は少なくとも２つの開口部をカバー可能な大きさである。このため、媒体の大きさに応じて浮き抑制部の配置を変更可能であるとともに、浮き抑制部の配置を変更しても浮き抑制部（カバー部）を支持面に確り吸引させることができる。
【００１６】
本発明の第６の態様の印刷装置は、前記第１から第５のいずれか１つの態様において、前記開口部は、複数の領域に仕切られていることを特徴とする。
【００１７】
本態様によれば、開口部は複数の領域に仕切られているので、１の開口部全体に対応する面積を浮き抑制部がカバーできない場合であっても、浮き抑制部を支持面に吸引させることができる。
【００１８】
本発明の第７の態様の印刷装置は、前記第１から第６のいずれか１つの態様において、前記開口部は、前記媒体の幅方向における長さが該幅方向と交差する方向の長さよりも短いことを特徴とする。
【００１９】
本態様によれば、開口部は媒体の幅方向における長さが該幅方向と交差する方向の長さよりも短い。このため、使用する媒体の幅に応じて浮き抑制部の配置を該幅方向に変更可能な構成などにおいて、浮き抑制部が少なくとも１つの開口部をカバー可能にする構成を簡単に形成できる。
【００２０】
本発明の第８の態様の媒体の浮き抑制方法は、媒体に印刷を行う印刷部と、前記媒体を支持面で支持し、該支持面側に開口した開口部と該支持面側とは異なる側に設けられるとともに該開口部よりも開口面積が小さい吸引孔とを有する該支持面に向けて該媒体を吸引する吸引室が複数設けられる支持部と、前記支持部に取り付けられ、前記支持面で支持される前記媒体の該支持面からの浮きを抑制する浮き抑制部と、を備える印刷装置における媒体の浮き抑制方法であって、前記浮き抑制部によって少なくとも１つの前記開口部がカバーされるように、該浮き抑制部を前記支持部に取り付けることを特徴とする。
【００２１】
本態様によれば、支持面側に開口した開口部を有し該支持面に向けて該媒体を吸引する吸引室が複数設けられる支持部と、支持面で支持される媒体の該支持面からの浮きを抑制する浮き抑制部と、を備え、開口部が吸引孔の開口面積以上である印刷装置を使用するので、吸引力を大きくすることができる。このため、媒体を支持面に確り吸引させることができる。そのうえ、本態様によれば、浮き抑制部によって少なくとも１つの開口部がカバーされるように該浮き抑制部を支持部に取り付けるので、浮き抑制部も支持面に確り吸引させることができる（浮き抑制部ごと媒体が浮き上がることを抑制できる）。したがって、効果的に、支持面で支持される媒体が該支持面から浮いてしまうことを抑制できる。
【図面の簡単な説明】
【００２２】
【図１】本発明の実施例１に係る印刷装置の概略側面図。
【図２】本発明の実施例１に係る印刷装置の要部の概略斜視図。
【図３】本発明の実施例１に係る印刷装置の要部の概略斜視図。
【図４】本発明の実施例１に係る印刷装置の要部の概略側面図。
【図５】本発明の実施例１に係る印刷装置の要部の概略側面断面図。
【図６】本発明の実施例１に係る印刷装置の要部の概略斜視図。
【図７】本発明の実施例１に係る印刷装置の要部の概略斜視図。
【図８】本発明の実施例１に係る印刷装置の要部の概略斜視図。
【図９】本発明の実施例１に係る印刷装置の要部の概略斜視図。
【図１０】本発明の実施例１に係る印刷装置の要部の概略斜視図。
【図１１】本発明の実施例１に係る印刷装置の要部の概略平面図。
【図１２】本発明の実施例１に係る印刷装置の要部の概略平面図。
【図１３】本発明の実施例２に係る印刷装置の要部の概略斜視図。
【図１４】本発明の実施例３に係る印刷装置の要部の概略斜視図。
【発明を実施するための形態】
【００２３】
以下に、本発明の一実施例に係る印刷装置について、添付図面を参照して詳細に説明する。  
［実施例１］（図１〜図１２）  
最初に、本発明の実施例１に係る印刷装置の概要について説明する。  
図１は、本実施例に係る印刷装置１の概略側面図である。
【００２４】
本実施例の印刷装置１は、記録を行うためのロール状の媒体ＭのロールＲ１を支持する支持軸２を備えている。そして、本実施例の印刷装置１は、媒体Ｍを搬送方向Ａに搬送する際、支持軸２は回転方向Ｃに回転する。なお、本実施例では印刷面が外側になるように巻かれているロール式の媒体Ｍを使用しているが、印刷面が内側になるように巻かれているロール式の媒体Ｍを使用する場合は、支持軸２の回転方向Ｃとは逆回転してロールＲ１を送り出すことが可能である。  
また、本実施例の印刷装置１は媒体Ｍとしてロール式の媒体を使用しているが、このようなロール式の媒体を使用する印刷装置に限定されない。例えば、単票式の媒体を用いてもよい。
【００２５】
また、本実施例の印刷装置１は、媒体Ｍを支持する支持部３を備えている。支持部３は支持面１２を有しており、媒体Ｍを支持面１２で支持するように構成されている。さらに、本実施例の印刷装置１は、媒体Ｍの支持部３などからなる媒体Ｍの搬送経路において該媒体Ｍを搬送方向Ａに搬送するための、駆動ローラー７と従動ローラー８とからなる搬送ローラー対５を備えている。  
本実施例の印刷装置１では、駆動ローラー７は媒体Ｍの搬送方向Ａと交差する走査方向Ｂに延びる１本のローラーで構成されており、従動ローラー８は駆動ローラー７と対向する位置において走査方向Ｂに複数並べて設けられている。  
また、本実施例の印刷装置１は媒体Ｍをインクジェットヘッドである印刷部４に対して搬送方向Ａに搬送させる搬送ローラー対５を有する印刷装置であるが、媒体Ｍと印刷部４とを相対移動させる機構を備えていればよく、媒体Ｍに対して印刷部４を移動させる所謂フラッドベッドタイプの印刷装置としてもよい。  
なお、本実施例の印刷装置１の要部である支持部３における印刷部４と対向する領域Ｓについての詳細は後述する。
【００２６】
支持部３の下部には、支持部３に支持された媒体Ｍを加熱可能な不図示のヒーターが設けられている。このように、本実施例の印刷装置１は、支持部３側から媒体Ｍを加熱可能なヒーターを備えているが、支持部３と対向する位置に設けられる赤外線ヒーター等を備えていてもよい。
【００２７】
また、本実施例の印刷装置１は、筐体部１１の内部に、複数のノズルが設けられたノズル形成面の該ノズルからインクを吐出して記録するインクジェットヘッドとしての印刷部４と、該印刷部４を搭載して走査方向Ｂに往復移動可能なキャリッジ６と、を備えている。  
なお、本実施例の印刷装置１では、支持部３上の印刷部４（ノズル形成面）と対向する位置における媒体Ｍの搬送方向Ａは水平方向である方向Ｙに沿う方向であり、印刷部４の走査方向Ｂは水平方向であって方向Ｙと直交する方向Ｘに沿う方向であり、インクの吐出方向は鉛直方向である方向Ｚに沿う方向（鉛直下方向）である。
【００２８】
ここで、上記のように、印刷部４は、媒体Ｍの搬送方向Ａと交差する走査方向Ｂに往復移動しながら、搬送される媒体Ｍに不図示のノズルからインクを吐出して印刷することが可能な構成である。このような構成の印刷部４を備えていることにより、本実施例の印刷装置１は、所定量（１パス分）媒体Ｍを搬送方向Ａに搬送させることと、媒体Ｍを停止した状態で印刷部４を走査方向Ｂに移動させながらインクを吐出させることと、を繰り返すことで、媒体Ｍに所望の画像を形成可能である。  
なお、本実施例の印刷装置１は、媒体Ｍの搬送と印刷部４の走査とを交互に繰り返して印刷を行う所謂シリアルプリンターであるが、媒体Ｍの幅方向に沿ってライン状にノズルが形成されたラインヘッドを使用して連続的に媒体Ｍを搬送しながら連続的に印刷を行う所謂ラインプリンターであってもよい。さらには、例えば、転写式プリンターなど、インクジェットプリンター以外の印刷装置であってもよい。
【００２９】
また、印刷部４の媒体Ｍの搬送方向Ａにおける下流側には、媒体ＭをロールＲ２として巻き取り可能な巻取軸１０が備えられている。なお、本実施例では印刷面が外側になるように媒体Ｍを巻き取るので、媒体Ｍを巻き取る際、巻取軸１０は回転方向Ｃに回転する。一方、印刷面が内側になるように巻き取る場合は、回転方向Ｃとは逆回転して巻き取ることが可能である。
【００３０】
また、支持部３における媒体Ｍの搬送方向Ａにおける下流側の端部と、巻取軸１０と、の間には、媒体Ｍとの接触部が走査方向Ｂに延設され、媒体Ｍに所望のテンションを付与することが可能なテンションバー９が設けられている。
【００３１】
次に、本実施例の印刷装置１の要部である支持部３における印刷部４と対向する領域Ｓについて説明する。  
ここで、図２及び図３は本実施例の印刷装置１の要部である支持部３における印刷部４と対向する領域Ｓの概略斜視図であり、図２は支持部３の支持面１２上に媒体Ｍがセットされていない状態、図３は支持面１２上に媒体Ｍがセットされている状態を表している。また、図４は本実施例の印刷装置１の要部である支持部３における印刷部４と対向する領域Ｓの概略側面図であり、図５はエッジガイド１３の位置で切断した該領域Ｓを表す概略側面断面図である。
【００３２】
図２〜図５で表されるように、本実施例の支持部３における印刷部４と対向する領域Ｓには、媒体Ｍの浮きを抑制可能な浮き抑制部としてのエッジガイド１３が配置されている。エッジガイド１３の詳細な構成は後述するが、エッジガイド１３は媒体Ｍの幅方向（走査方向Ｂに沿う方向）の端部Ｍｅを支持部３の支持面１２と共に挟み込むことが可能な対向部１３ａと該対向部１３ａの基部としてのカバー部１３ｂとを有している。なお、エッジガイド１３は走査方向Ｂにおいて対称形状となっており、領域Ｓにエッジガイド１３を２つ配置することにより、媒体Ｍの幅方向の両端部を該２つのエッジガイド１３で支持面１２と共に挟み込むことが可能になっている。なお、該２つのエッジガイド１３は共に媒体Ｍの幅方向に沿って移動可能な構成になっている。
【００３３】
また、図２で表されるように、支持面１２には開口面積の小さい吸引孔１５と開口面積の大きい開口部１６とを有する吸引室１４が走査方向Ｂに沿って複数設けられている。吸引室１４において、開口部１６は支持面１２側に形成されており、吸引孔１５は、支持面１２と反対側に形成されている。具体的には、吸引室１４の天井に相当する部分が開口部１６として開放されており、吸引室１４の底面に相当する部分に吸引孔１５が形成されている。吸引室１４における支持面１２と反対側に形成される吸引孔１５は不図示の負圧発生部と接続している。図３で表されるように吸引室１４における支持面１２側に形成される開口部１６をカバーするように媒体Ｍが位置すると、吸引室１４は負圧になり、媒体Ｍは支持面１２側に吸引される。また、その際、エッジガイド１３のカバー部１３ｂは開口部１６をカバーする位置に配置されるようになっており、エッジガイド１３も支持面１２側に吸引される構成になっている。
【００３４】
すなわち、本実施例の印刷装置１は、媒体Ｍに印刷を行う印刷部４と、媒体Ｍを支持面１２で支持する支持部３と、支持部３に取り付けられ、支持面１２で支持される媒体Ｍの該支持面１２からの浮きを抑制するエッジガイド１３と、を備えている。そして、支持部３には、支持面１２に向けて媒体Ｍを吸引する吸引室１４が複数設けられている。また、吸引室１４は、支持面１２側に開口した開口部１６と、支持面１２側とは異なる側に設けられるとともに該開口部１６よりも開口面積が小さい吸引孔１５と、を有している。また、エッジガイド１３は、少なくとも１つの開口部１６をカバー可能に構成されている。  
このように、本実施例の印刷装置１は、支持面１２側に開口した開口部１６を有し該支持面１２に向けて該媒体Ｍを吸引する吸引室１４が複数設けられる支持部３と、支持面１２で支持される媒体Ｍの該支持面１２からの浮きを抑制するエッジガイド１３と、を備えている。吸引力は吸引面積（開口部の開口面積）に比例するため、開口部１６を吸引孔１５の開口面積以上とすることで吸引力を大きくすることができる。このため、媒体Ｍを支持面１２に確り吸引させることができる。そのうえ、本実施例の印刷装置１では、エッジガイド１３は少なくとも１つの開口部１６をカバー可能に構成されているので、エッジガイド１３も支持面１２に確り吸引させることができる（エッジガイド１３ごと媒体Ｍが浮き上がることを抑制できる）。したがって、効果的に、支持面１２で支持される媒体Ｍが該支持面１２から浮いてしまうことを抑制できる構成になっている。  
なお、本実施例の吸引室１４は上側全面が開口した開口部１６が設けられる構成になっているが、吸引孔１５の開口面積よりも大きい開口部１６であれば上側全面が開口した開口部１６でなくてもよい。
【００３５】
別の表現をすると、媒体Ｍに印刷を行う印刷部４と、媒体Ｍを支持面１２で支持し、該支持面１２側に開口した開口部１６と該支持面１２側とは異なる側に設けられるとともに該開口部１６よりも開口面積が小さい吸引孔１５とを有する該支持面１２に向けて該媒体Ｍを吸引する吸引室１４が複数設けられる支持部３と、支持部３に取り付けられ、支持面１２で支持される媒体Ｍの該支持面１２からの浮きを抑制するエッジガイド１３と、を備える本実施例の印刷装置１を用いて、エッジガイド１３によって少なくとも１つの開口部１６がカバーされるように、該エッジガイド１３を支持部３に取り付ける媒体の浮き抑制方法を実行可能である。  
該媒体の浮き抑制方法は、支持面１２側に開口した開口部１６を有し該支持面１２に向けて該媒体Ｍを吸引する吸引室１４が複数設けられる支持部３と、支持面１２で支持される媒体Ｍの該支持面１２からの浮きを抑制するエッジガイド１３と、を備え、開口部１６が吸引孔１５の開口面積以上である印刷装置１を使用するので、吸引力を大きくすることができる。このため、媒体Ｍを支持面１２に確り吸引させることができる。そのうえ、該媒体の浮き抑制方法は、エッジガイド１３によって少なくとも１つの開口部１６がカバーされるように該エッジガイド１３を支持部３に取り付けるので、エッジガイド１３も支持面１２に確り吸引させることができる（エッジガイド１３ごと媒体Ｍが浮き上がることを抑制できる）。したがって、効果的に、支持面１２で支持される媒体Ｍが該支持面１２から浮いてしまうことを抑制できる。
【００３６】
ここで、本実施例のエッジガイド１３は、少なくとも１つの開口部１６をカバー可能なカバー部１３ｂと、支持面１２と対向する側から媒体Ｍに対向可能な対向部１３ａと、を有している。すなわち、本実施例のエッジガイド１３は支持面１２と対向する側から媒体Ｍに対向可能な対向部１３ａだけでなく開口部１６をカバー可能なカバー部１３ｂを有するので、対向部１３ａで媒体Ｍの浮きを抑制しつつカバー部１３ｂを支持面１２に確り吸引させることができる。このため、効果的にエッジガイド１３ごと媒体Ｍが浮き上がることを抑制できる構成になっている。
【００３７】
また、本実施例の印刷装置１では、図２で表されるように、開口部１６は媒体Ｍの幅方向（走査方向Ｂに沿う方向）における長さが該幅方向と交差する方向（搬送方向Ａに沿う方向）の長さよりも短くなるよう構成されている。このため、使用する媒体Ｍの幅に応じてエッジガイド１３の配置を該幅方向に変更可能な本実施例の印刷装置１の構成において、エッジガイド１３が少なくとも１つの開口部１６をカバー可能にする構成を簡単に形成している。
【００３８】
また、本実施例の印刷装置１は、各吸引孔１５を蓋部２２でふさぐことが可能になっている。このため、例えば、幅の狭い媒体Ｍを使用する場合、媒体Ｍでカバーされない領域の吸引室１４の吸引孔１５を蓋部２２でふさぎ、媒体Ｍでカバーされている領域の吸引室１４の吸引力が低下しないようにすることが可能な構成になっている。
【００３９】
次に、本実施例の印刷装置１の要部であるエッジガイド１３の詳細な構成について、上記図２〜図５と、図６〜図１２と、を用いて説明する。  
ここで、図６及び図７は本実施例の印刷装置１の要部であるエッジガイド１３の上流側規制部１７の概略斜視図であり、図６はエッジガイド１３に取り付けられた状態を表しており、図７はエッジガイド１３から取り外された状態を表している。また、図８及び図９は本実施例の印刷装置１の要部であるエッジガイド１３の下流側規制部１８の概略斜視図であり、図８はエッジガイド１３に取り付けられた状態を表す断面図であり、図９はエッジガイド１３から取り外された状態を表している。また、図１０及び図１１は本実施例の印刷装置１の要部であるエッジガイド１３の固定部１９の概略図であり、図１０は斜視図であり、図１１は平面図である。そして、図１２は本実施例の印刷装置１の要部であるエッジガイド１３の概略平面図であり、上流側規制部１７、下流側規制部１８及び固定部１９が取り外された状態を表している。
【００４０】
本実施例の上流側規制部１７は、エッジガイド１３の上流側規制部取付け部１３ｃに取り付けられる（図６及び図１２参照）。また、図６及び図７等で表されるように、本実施例の上流側規制部１７は貫通部１７ａが形成されている。貫通部１７ａは、図３〜図５等で表されるように、媒体Ｍの幅方向における側面と対向する位置であり、支持面１２とカバー部１３ｂとの間を貫くように形成されている。このような構成となっていることで、貫通部１７ａは、媒体Ｍのカバー部１３ｂ側への移動を規制し、媒体Ｍの幅方向の端部Ｍｅがカバー部１３ｂ側の開口部１６（カバー部１３ｂでカバーされている開口部１６）に入り込むことを抑制している。  
なお、媒体Ｍの「側面」とは、媒体Ｍの端部Ｍｅにおける印刷面と該印刷面とは反対側の面との間の先端を構成する面を意味している。これは、例え媒体Ｍの端部Ｍｅの先端が線状（峰状）になっておりマクロな視点で見れば面状になっていないように見える場合であっても、ミクロな視点で見ればその先端は面状になっているのでそのような意味での面を意味している。
【００４１】
本実施例の下流側規制部１８は、エッジガイド１３の下流側規制部取付け部１３ｄに取り付けられる（図８及び図１２参照）。また、図８及び図９等で表されるように、本実施例の下流側規制部１８は貫通部１８ａが形成されている。貫通部１８ａは、図３及び図５等で表されるように、媒体Ｍの幅方向における側面と対向する位置であり、支持面１２とカバー部１３ｂとの間を貫くように形成されている。このような構成となっていることで、貫通部１８ａは、媒体Ｍのカバー部１３ｂ側への移動を規制し、媒体Ｍの幅方向の端部Ｍｅがカバー部１３ｂ側の開口部１６（カバー部１３ｂでカバーされている開口部１６）に入り込むことを抑制している。
【００４２】
すなわち、本実施例のエッジガイド１３には、媒体Ｍの側面と対向し、支持面１２とカバー部１３ｂとの間を貫くように形成される貫通部１７ａ及び１８ａが設けられている。このため、該貫通部１７ａ及び１８ａが媒体Ｍのカバー部１３ｂ側への移動を規制し、媒体Ｍがカバー部１３ｂ側の開口部１６に入り込むことを抑制できる構成になっている。  
なお、「支持面１２とカバー部１３ｂとの間を貫く」とは、支持面１２とカバー部１３ｂとの間隔に媒体Ｍが入り込まないように「支持面１２とカバー部１３ｂとの対向領域又は支持面１２とカバー部１３ｂとの対向領域の外側の領域において該間隔を貫く」と言う意味である。したがって、貫通部１７ａ及び１８ａの形成位置は、カバー部１３ｂであってもよいし、本実施例のようにその外側（本実施例では対向部１３ａ）であってもよい。
【００４３】
また、本実施例のエッジガイド１３は、対向部１３ａ及びカバー部１３ｂが金属製であり、上流側規制部１７及び下流側規制部１８が樹脂製である。すなわち、貫通部１７ａ及び１８ａは、カバー部１３ｂよりも柔らかい素材で形成されている。  
ここで、媒体Ｍと貫通部１７ａ及び１８ａとは接触する可能性があるが、本実施例のエッジガイド１３は、貫通部１７ａ及び１８ａを相対的に柔らかい素材で形成しているので、媒体Ｍと貫通部１７ａ及び１８ａとが接触した際に媒体Ｍが損傷することを抑制している。
【００４４】
本実施例の固定部１９は、エッジガイド１３の固定部取付け部１３ｅに取り付けられる（図１０〜図１２参照）。また、本実施例の固定部１９は、図１０及び図１１等で表されるように２カ所のつまみ部１９ａ及び該つまみ部１９ａと一体的に構成されている押圧部１９ｂを有しており、さらに、２カ所のつまみ部１９ａの間に配置される弾性部材１９ｄを有している。つまみ部１９ａは弾性部材１９ｄの付勢力に伴い互いに離れる方向に力が加わっているが、ユーザーがつまみ部１９ａに対して互いに接近する方向に力を加えることで２カ所のつまみ部１９ａが互いに接近する構成になっている。
【００４５】
そして、ユーザーがつまみ部１９ａを互いに接近する方向に押圧すると押圧部１９ｂが搬送方向Ａの下流側に移動する。すなわち、押圧部１９ｂはつまみ部１９ａに力が加わっていないとき支持部３の壁部２１に向けて押圧されているが、つまみ部１９ａに力が加わると壁部２１から離間する。  
ここで、つまみ部１９ａに力が加わっていないとき、固定部１９は、押圧部１９ｂが壁部２１に向けて押圧されることにより、エッジガイド１３全体が搬送方向Ａの下流側に向かうように該エッジガイド１３全体に力を加える。これは、図４及び図５等で表されるように、固定部１９は、取付け部１９ｃによりエッジガイド１３の固定部取付け部１３ｅに取り付けられて（固定されて）いるためである。ただし、図２〜図５で表されるように支持部３には走査方向Ｂに沿って延設される引掛け部２０が形成されており、該引掛け部２０に下流側規制部１８の被引掛け部１８ｂが引っ掛けられることでエッジガイド１３全体が搬送方向Ａの下流側に移動することが規制される（図４及び図５参照）。すなわち、本実施例の印刷装置１は、押圧部１９ｂと被引掛け部１８ｂとで支持部３の壁部２１から引掛け部２０までの領域を挟み込むことで、エッジガイド１３を支持部３に固定する構造になっている。
【００４６】
本実施例のエッジガイド１３は、このような構成となっていることにより、支持部３の領域Ｓの走査方向Ｂにおける任意の位置で固定できる構成になっている。なお、ユーザーがつまみ部１９ａに対して互いに接近する方向に力を加えることで、押圧部１９ｂの壁部２１に向けての押圧が解除され（押圧部１９ｂと被引掛け部１８ｂとで支持部３の壁部２１から引掛け部２０までの領域を挟み込む力が解除され）、エッジガイド１３を走査方向Ｂに沿って移動可能となる。
【００４７】
次に、上記実施例１以外の実施例について説明する。  
［実施例２］（図１３）  
図１３は、実施例２の印刷装置１の要部である支持部３における印刷部４と対向する領域Ｓの概略斜視図であり、実施例１の印刷装置１における図２に対応する図である。  
なお、本実施例の印刷装置１は、領域Ｓの構成以外は全て実施例１の印刷装置１と同様の構成である。
【００４８】
実施例１の印刷装置１は、エッジガイド１３が支持部３に取り付けられる位置が可変であり、カバー部１３ｂが少なくとも１つの開口部１６をカバー可能な大きさに構成されていた。  
一方、本実施例の印刷装置１は、エッジガイド１３が支持部３に取り付けられる位置が可変であり、開口部１６の走査方向Ｂにおける長さが短く構成されていることでカバー部１３ｂが少なくとも２つの開口部１６をカバー可能な大きさに構成されている。別の表現をすると、エッジガイド１３がどの位置にあっても、必ず少なくとも１つの開口部１６をカバーする構成になっている。このため、媒体Ｍの大きさに応じてエッジガイド１３の配置を変更可能であるとともに、エッジガイド１３の配置を変更してもエッジガイド１３（カバー部１３ｂ）を支持面１２に確り吸引させることができる構成になっている。
【００４９】
［実施例３］（図１４）  
図１４は、実施例３の印刷装置１の要部である支持部３における印刷部４と対向する領域Ｓの概略斜視図であり、実施例１の印刷装置１における図２に対応する図である。  
なお、本実施例の印刷装置１は、領域Ｓの構成以外は全て実施例１の印刷装置１と同様の構成である。
【００５０】
実施例１の印刷装置１は、開口部１６に仕切りは設けられていなかった。  
一方、本実施例の印刷装置１は、仕切りとしてのリブ２３が開口部１６に設けられていることで、開口部１６は複数の領域に仕切られている。このため、１の開口部１６全体に対応する面積をエッジガイド１３がカバーできない場合であっても、エッジガイド１３を支持面１２に吸引させることができる構成になっている。
【００５１】
なお、本発明は上記実施例に限定されることなく、特許請求の範囲に記載した発明の範囲内で種々の変形が可能であり、それらも本発明の範囲内に含まれることは言うまでもない。
【符号の説明】
【００５２】
１…印刷装置、２…支持軸、３…支持部、４…印刷部、５…搬送ローラー対、
６…キャリッジ、７…駆動ローラー、８…従動ローラー、９…テンションバー、
１０…巻取軸、１１…筐体部、１２…支持面、１３…エッジガイド（浮き抑制部）、
１３ａ…対向部、１３ｂ…カバー部、１３ｃ…上流側規制部取付け部、
１３ｄ…下流側規制部取付け部、１３ｅ…固定部取付け部、１４…吸引室、
１５…吸引孔、１６…開口部、１７…上流側規制部、１７ａ…貫通部、
１８…下流側規制部、１８ａ…貫通部、１８ｂ…被引掛け部、１９…固定部、
１９ａ…つまみ部、１９ｂ…押圧部、１９ｃ…取付け部、１９ｄ…弾性部材、
２０…引掛け部、２１…壁部、２２…蓋部、２３…リブ、Ｍ…媒体、
Ｍｅ…媒体Ｍの幅方向の端部、Ｒ１…媒体Ｍのロール、Ｒ２…媒体Ｍのロール、
Ｓ…支持部３における印刷部４と対向する領域
【図１】
2018103391.tif 000003
【図２】
2018103391.tif 000004
【図３】
2018103391.tif 000005
【図４】
2018103391.tif 000006
【図５】
2018103391.tif 000007
【図６】
2018103391.tif 000008
【図７】
2018103391.tif 000009
【図８】
2018103391.tif 000010
【図９】
2018103391.tif 000011
【図１０】
2018103391.tif 000012
【図１１】
2018103391.tif 000013
【図１２】
2018103391.tif 000014
【図１３】
2018103391.tif 000015
【図１４】
2018103391.tif 000016